(57)【要約】【課題】  手差し作業を必要とすること無く、且つ、システムに複雑さを付加しない簡単な工程で、多様な形態に分離用紙が差し挟まれた折り畳み印刷用紙を作成可能にする。【解決手段】  印刷システム１は、一枚の用紙に印刷を施す印刷装置１０と、一枚の用紙を、少なくとも３つの区分が一列に形成されるように折り畳むと共に、該用紙の端部側の少なくとも１つの区分を、折り畳まれる他の区分の間に折り込む、折り畳み装置１２と、少なくとも１つの折り込まれた区分とこれに連続する区分との間に形成された山折り部を断裁する断裁装置１４と、を備える。折り畳み装置では、山折り部が、折り込まれた区分上に折り重ねられる他の区分の領域から突出するように各区分の寸法が定められる。【選択図】  図１
2005297219.tif 000002
【特許請求の範囲】
【請求項１】
折り畳みシートの作成方法であって、
一枚のシートを、少なくとも３つの区分が形成されるように折り畳むと共に、該シートの端部側の少なくとも１つの区分を、折り畳まれる他の区分の間に折り込む、折り畳み工程と、
少なくとも１つの折り込まれた区分とこれに連続する区分との間に形成された山折り部を断裁する、断裁工程と、
を備え、
前記折り畳み工程において、前記山折り部が、前記折り込まれた区分上に折り重ねられる他の区分の領域から突出するように、各区分の寸法が定められていることを特徴とする、折り畳みシートの作成方法。
【請求項２】
前記断裁工程では、前記シートが折り畳まれた状態で、突出した前記山折り部が断裁される、請求項１に記載の折り畳みシートの作成方法。
【請求項３】
前記断裁工程では、前記山折り部は、前記他の区分の領域よりも突出した部分が残るように断裁される、請求項２に記載の折り畳みシートの作成方法。
【請求項４】
前記断裁工程では、前記山折り部は、前記他の区分の領域よりも突出した部分が実質的に残らないように断裁される、請求項２に記載の折り畳みシートの作成方法。
【請求項５】
前記断裁工程では、前記折り畳み工程により折り畳まれた複数のシートが積み上げられ、積み上げられた該複数のシートが一度に断裁される、請求項１乃至４のいずれか１項に記載の折り畳みシートの作成方法。
【請求項６】
前記折り込まれた区分は、前記シートの一方の最端部側にある１つの区分である、請求項１乃至５のいずれか１項に記載の折り畳みシートの作成方法。
【請求項７】
前記折り込まれた区分に連続して前記山折り部を形成する区分が、前記断裁工程の後に折り畳みシートの一方の側の最表面領域を形成する、請求項１乃至６のいずれか１項に記載の折り畳みシートの作成方法。
【請求項８】
前記折り畳み工程では、前記山折り部が、複数形成される、請求項１乃至５のいずれか１項に記載の折り畳みシートの作成方法。
【請求項９】
前記折り畳み工程では、前記シートの両端部から２つ以上の区分が各々折り込まれ、該両端部において少なくとも１つの前記山折り部が各々形成される、請求項８に記載の折り畳みシートの作成方法。
【請求項１０】
前記折り畳み工程では少なくとも４つの区分が形成され、前記折り込まれた区分は、前記シートの少なくとも一方の端部側から連続する複数の区分である、請求項１乃至５のいずれか１項に記載の折り畳みシートの作成方法。
【請求項１１】
前記折り畳み工程では少なくとも４つの区分が形成され、前記折り込まれた区分は、前記シートの少なくとも一方の端部側から連続する複数の区分であり、
前記折り込まれた複数の区分は、前記折り畳み工程において、シートの最端部にある区分から順次内側に折り曲げて巻き折りしたものであり、
前記断裁工程では、折り込まれる各区分が内側に折り曲げられる毎に、該区分の山折り部が順次断裁される、請求項１に記載の折り畳みシートの作成方法。
【請求項１２】
最後に折り曲げられた区分の山折り部が、該区分上に折り重ねられる他の区分の領域から突出するように、各区分の寸法が定められ、
前記断裁工程の最後の断裁では、前記シートが折り畳まれた状態で、突出した前記山折り部が断裁される、請求項１１に記載の折り畳みシートの作成方法。
【請求項１３】
前記シートは、印刷が施された用紙である、請求項１乃至１２のいずれか１項に記載の折り畳みシートの作成方法。
【請求項１４】
印刷システムであって、
一枚の用紙に印刷を施す印刷手段と、
前記一枚の用紙を、少なくとも３つの区分が形成されるように折り畳むと共に、該用紙の端部側の少なくとも１つの区分を、折り畳まれる他の区分の間に折り込む、折り畳み手段と、
少なくとも１つの折り込まれた区分とこれに連続する区分との間に形成された山折り部を断裁する断裁手段と、
を備え、
前記折り畳み手段において、前記山折り部が、前記折り込まれた区分上に折り重ねられる他の区分の領域から突出するように、各区分の寸法が定められていることを特徴とする、印刷システム。
【請求項１５】
前記断裁手段は、前記用紙が折り畳まれた状態で、前記山折り部の突出した部分を断裁する、請求項１４に記載の印刷システム。
【請求項１６】
前記断裁手段は、前記他の区分の領域よりも突出した部分が残るように前記山折り部を断裁する、請求項１５に記載の印刷システム。
【請求項１７】
前記他の区分の領域よりも突出した残りの部分に、情報が印刷されている、請求項１６に記載の印刷システム。
【請求項１８】
前記断裁手段は、前記折り畳み手段により折り畳まれた複数の用紙を積み上げ、積み上げた該複数の用紙を一度に断裁する、請求項１４乃至１７のいずれか１項に記載の印刷システム。
【請求項１９】
前記折り畳み手段は、前記折り込まれた区分として、前記用紙の一方の最端部側にある１つの区分を内側に折り曲げる、請求項１４乃至１８のいずれか１項に記載の印刷システム。
【請求項２０】
前記折り込まれた区分に連続して前記山折り部を形成する区分が、前記断裁工程の後に折り畳みシートの一方の側の最表面領域を形成する、請求項１４乃至１９のいずれか１項に記載の印刷システム。
【請求項２１】
前記折り畳み手段は、前記山折り部を複数形成する、請求項１４乃至１８のいずれか１項に記載の印刷システム。
【請求項２２】
前記折り畳み手段は、前記シートの両端部から２つ以上の区分を各々折り込み、該両端部において少なくとも１つの前記山折り部を各々形成する、請求項２１に記載の印刷システム。
【請求項２３】
前記折り畳み手段は、前記用紙を少なくとも４つの区分に折り畳むと共に、前記折り込まれた区分として、前記用紙の少なくとも一方の端部側から連続する複数の区分を内側に折り畳む、請求項１４乃至１８のいずれか１項に記載の印刷システム。
【請求項２４】
前記折り畳み手段は、前記用紙を少なくとも４つの区分に折り畳むと共に、前記折り込まれた区分として、前記用紙の少なくとも一方の端部側から連続する複数の区分を内側に折り畳むとき、該用紙の最端部にある区分から順次内側に折り曲げて巻き折りし、
前記断裁手段は、折り込まれる各区分が内側に折り曲げられる毎に、該区分の山折り部を順次断裁する、請求項１４に記載の印刷システム。
【請求項２５】
前記折り畳み手段は、最後に折り曲げられた区分の山折り部が該区分上に折り重ねられる他の区分の領域から突出するように、前記用紙を折り畳み、
前記断裁手段は、前記用紙が折り畳まれた状態で、前記山折り部の突出した部分を断裁する、請求項２４に記載の印刷システム。
【請求項２６】
折り畳みシートの作成方法であって、
一枚のシートを、少なくとも３つの区分が形成されるように折り畳むと共に、該シートの端部側の少なくとも１つの区分を、折り畳まれる他の区分の間に折り込む、折り畳み工程と、
少なくとも１つの折り込まれた区分とこれに連続する区分との間に形成された山折り部を後工程で断裁可能に処理する、断裁可能工程と、
を備え、
前記折り畳み工程において、前記山折り部が、前記折り込まれた区分上に折り重ねられる他の区分の領域から突出するように、各区分の寸法が定められていることを特徴とする、折り畳みシートの作成方法。
【発明の詳細な説明】
【技術分野】
【０００１】
本発明は、分離シートが差し挟まれた、折り畳みシートの作成方法、並びに、分離した用紙が差し挟まれた保険パンフレット等の折り畳み印刷用紙を作成するための印刷システムに関する。
【背景技術】
【０００２】
従来、別紙の印刷用紙が差し挟まれた保険パンフレットを作成するためには、例えば、図１０に示された方法が採用されていた。
図１０に示すように、印刷工程（i）で、最初に、折り畳み前の１枚の用紙ａ、及び、別紙ｂを夫々別々に印刷する。或いは、予め１枚の用紙に印刷したものを、用紙ａ及び別紙ｂに切り離すように断裁する。次に、折り畳み工程（ii）で、折り機等を用いて、用紙ａを例えば三つ折りに折り畳む。三つ折りされた用紙ａは、ほぼ同サイズ（例えばＡ４サイズ）の３区分からなり、各区分が表面及び中面を有する。この折り畳み工程では、例えば、用紙ａの一方の端部側にある区分が、他方の端部にある区分と中央の区分との間に挟まれるように内側に折り曲げられる。最後に、手差し工程（iii）では、三つ折りされた用紙ａに別紙ｂを手差しで差し挟む。このようにして保険パンフレットｃが完成される。このパンフレットを広げると、用紙ａの３つの区分の中面及び表面に夫々印刷された情報及び分離用紙ｂの中面及び表面に印刷された情報を参照することができる。用紙ａには、例えば保険内容についての一般的な説明を印刷し、別紙ｂには、比較的個別的な情報やタイムリーな情報を印刷することにより、顧客や状況等に応じてきめ細かく情報を提供することができる。
【０００３】
このように保険パンフレットの場合には、別紙を手で差し挟むことが一般的に行われているが、この手差し作業には、コスト及び納期がかかるというデメリットがある。
別紙を機械で自動的に差し挟むための方法及び装置が、例えば以下の特許文献１に開示されている。同文献に記載された発明は、新聞の折紙に広告束を丁合するための装置に関するものであり、該装置は、その図２に示されるように、新聞の折紙１を垂直状態に維持して、垂直折紙２を形成するための拡開準備装置Ａと、この装置から移送される垂直折紙を吸着ドラム等の拡開手段を介して拡開させ、この拡開部に広告束Ｐを投入して、丁合折紙３を形成するための広告丁合装置Ｂと、から構成される。この丁合装置を応用すれば保険パンフレットに別紙を差し挟むことも可能であると考えられる。
【０００４】
しかし、機械を用いて手差しを自動化する場合、印刷システムに新たな装置を組み込む必要があり、システム制御の複雑化及びコスト増加を招来するおそれがある。
これに対して、図９に示す技術では、手差し用の装置を別途用いることなく、且つ、手差し作業を要すること無しに、例えばＡ４サイズの２つ折り用紙に、同サイズの分離用紙が２枚差し挟まれたパンフレットを作成することができる。同技術によれば、先ず、略Ａ４サイズが横幅方向に４枚連続的に並んだサイズの一枚の用紙が折り畳み前に選択される（工程（i））。４つの区分Ｓ−１、Ｓ−２、Ｓ−３及びＳ−４は、全て略同一サイズとされ、各区分の横幅は、作成完了後のパンフレットの１頁分の横幅よりも、幅ｄだけ大きくなるように定められる。図９において、点線により囲まれた、折り線Ｏ−１及びＯ−３を中心とした幅２ｄの領域が断裁予定領域に対応している。
【０００５】
上記のような用紙１６に対し、第１回折り畳み工程（ii）において、先ず、区分Ｓ−１及びＳ−４を、夫々折り線Ｏ−１及びＯ−３を中心として、内側に折り曲げ、区分Ｓ−１及びＳ−２の中面同士、並びに、区分Ｓ−３及びＳ−４の中面同士を夫々対面接触した状態にする。この折り曲げにより、区分Ｓ−１及びＳ−２の間には、山折り部５０が形成され、区分Ｓ−４及びＳ−３の間には、山折り部５２が形成される。
【０００６】
次に、第２回目の折り畳み工程（iii）において、折り線Ｏ−２を中心として、区分Ｓ−１の表面と区分Ｓ−４の表面とが対面接触するように折り畳む。区分が全て略同一サイズのため、山折り部５０及び５２、かくして点線により囲まれた断裁予定領域が整列する。
【０００７】
次に、断裁工程（iv）において、山折り部５０及び５２を断裁線５４に沿って断裁し、山折り部５０、５２の頂部を形成していた２つの断裁予定領域からなる部分５６を一緒に切り離す。かくして保険パンフレット２５が作成完了となる。作成した保険パンフレット２５を受け取ったユーザ等がこれを展開すると（工程ｖ）、Ａ４２つ折り部５８と、これから切り離された２枚の分離用紙６０及び６２と、を参照することができる。
【０００８】
しかし、図９に示す技術では、一度の裁断で、２枚の分離用紙が形成されてしまい、多様な形態のパンフレットの作成に柔軟に応用することが困難である、といった問題がある。
【特許文献１】特開平６−６４８２７号
【発明の開示】
【発明が解決しようとする課題】
【０００９】
本発明は、上記事実に鑑みなされたもので、手差し作業を必要とすること無く、且つ、システムに複雑さを付加しない簡単な工程で、多様な形態で分離用紙が差し挟まれた折り畳み印刷用紙を作成することを可能とする、印刷システムを提供することを目的とする。
【００１０】
更に、本発明は、折り畳み印刷用紙の作成にその用途を限定せず、広く一般に、分離シートが差し挟まれた状態の折り畳みシートの作成方法においても、手差し作業及び複雑な工程を排除しつつ、多様な形態の折り畳みシートを作成可能とすることを別の目的とする。
【課題を解決するための手段】
【００１１】
上記課題を解決するため、本発明の折り畳みシートの作成方法は、一枚のシートを、少なくとも３つの区分が形成されるように折り畳むと共に、該シートの端部側の少なくとも１つの区分を、折り畳まれる他の区分の間に折り込む、折り畳み工程と、少なくとも１つの折り込まれた区分とこれに連続する区分との間に形成された山折り部を断裁する、断裁工程と、を備え、該折り畳み工程において、該山折り部が、折り込まれた区分上に折り重ねられる他の区分の領域から突出するように、各区分の寸法が定められていることを特徴とする。
【００１２】
本発明によれば、分離シートを形成する区分の山折り部が、折り重ねられる他の区分の領域から突出するため、折り畳み方を変えることによって、分離するべき区分を、折り畳みシートの形態に応じて、適宜、選択可能にすることができる。これにより、手差し作業や複雑な装置を必要とすること無く、分離シートが挟まれた折り畳みシートを、きわめて簡単な工程で所望の形態に適宜作成することができる。
【００１３】
本発明の断裁工程では、シートが折り畳まれた状態で、山折り部の突出した部分が断裁される。この断裁工程では、山折り部は、上記他の区分の領域よりも突出した部分が残るように断裁されるのが好ましい（図４の例）。勿論、断裁工程では、山折り部が、他の区分の領域よりも突出した部分が実質的に残らないように断裁されてもよい。
【００１４】
また、断裁工程では、折り畳み工程により折り畳まれた複数のシートが積み上げられ、積み上げられた複数のシートが一度に断裁されるのが好ましい。これにより、折り畳みシートの作成工程を更に高速化及び単純化することができる。
【００１５】
上記の折り込まれた区分は、一例として、シートの一方の最端部側にある１つの区分である（図１及び図８の例）。また、折り込まれた区分に連続して山折り部を形成する区分が、断裁工程の後に折り畳みシートの一方の側の最表面領域を形成してもよい。
【００１６】
また、折り畳み工程において、山折り部が、複数形成されてもよい。この例の一態様では、折り畳み工程において、シートの両端部から２つ以上の区分が各々折り込まれ、該両端部において少なくとも１つの山折り部が各々形成される。
【００１７】
更に別の例では、折り畳み工程では少なくとも４つの区分が形成され、折り込まれた区分は、シートの少なくとも一方の端部側から連続する複数の区分であってもよい（図５及び図６の例）。この一態様（図５の例）によれば、折り込まれた複数の区分は、折り畳み工程において、シートの最端部にある区分から順次内側に折り曲げて巻き折りしたものであり、断裁工程では、折り込まれる各区分が内側に折り曲げられる毎に、該区分の山折り部が順次断裁される。好ましくは、最後に折り曲げられた区分の山折り部が、該区分上に折り重ねられる他の区分の領域から突出するように、各区分の寸法が定められ、断裁工程の最後の断裁では、シートが折り畳まれた状態で、山折り部の突出した部分が断裁される。なお、断裁工程の別の態様では、少なくとも１つの折り込まれた区分とこれに連続する区分との間に形成された山折り部を後工程で断裁可能に処理する（例えばミシン目を形成する）。上記シートの好ましい一例として、印刷が施された用紙が挙げられる。
【００１８】
本発明の別の好ましい態様に係る、印刷システムは、一枚の用紙に印刷を施す印刷手段と、該一枚の用紙を、少なくとも３つの区分が形成されるように折り畳むと共に、該用紙の端部側の少なくとも１つの区分を、折り畳まれる他の区分の間に折り込む、折り畳み手段と、少なくとも１つの折り込まれた区分とこれに連続する区分との間に形成された山折り部を断裁する断裁手段と、を備え、該折り畳み手段において、山折り部が、折り込まれた区分上に折り重ねられる他の区分の領域から突出するように、各区分の寸法が定められていることを特徴とする。
【実施例】
【００１９】
以下、図面を参照して本発明の実施例を説明する。
図１には、本実施例に係る印刷システム１の概略ブロック図が示されている。
同図に示されるように、印刷システム１は、例えば、分離用紙が差し挟まれた保険パンフレットを作成するシステムとして構成されたもので、印刷装置１０と、折り装置１２と、断裁装置１４と、を備える。
【００２０】
印刷装置１０は、巻き取り紙５、又は、カセット等に収容された用紙６に、画像及び文字情報を印刷し、作成するパンフレットに応じたサイズの印刷用紙１６を順次出力する。この印刷装置１０は、用紙５、６に所与の印刷を実行可能な任意装置として構成することができ、例えばオフセット印刷装置、輪転機、電子写真方式若しくはインクジェット方式のダイレクト印刷装置等が挙げられるが、これらに限定されるものではない。また、折り装置１２は、詳細を後述する手順に従って、印刷装置１０から出力された印刷用紙１６を折り畳んで折り畳み用紙２０を作る装置であり、従来と同様の装置を用いることができる。折り装置１２から出力された折り畳み用紙２０は、積み上げられてスタック２２を形成する。また、断裁装置１４は、一定数の折り畳み用紙２０が積み上げられると、当該スタック２２の一部分２６を自動的に断裁する装置として構成される。この断裁装置１４を、カッターを用いて手動で断裁する方式に代えることもできる。断裁されたスタック２４を構成する各々の用紙は、後述するように、分離用紙が差し挟まれた保険パンフレット２５として用いられる。
【００２１】
次に、折り装置１２で実行される折り畳み手順及び断裁装置１４で実行される断裁手順の第１及び第３の実施例について図２乃至図７を用いて説明する。なお、これらの図面では、同様の構成要件には、同様の符号を附して詳細な説明を省略する。
（第１の実施例）
図２に示す第１の実施例では、例えばＡ４サイズの３つ折り用紙に、同サイズの分離用紙が一枚差し挟まれたパンフレットを作成する。このため、印刷装置１０により印刷完了した折り畳み前の印刷用紙１６として、略Ａ４サイズが横幅方向に４枚連続的に並んだサイズの一枚の用紙が選択される（工程（ｉ））。用紙１６において、折り装置１２により折り曲げられるところの予定の折り線が、Ｏ−１、Ｏ−２及びＯ−３であり、これらの折り線により、４つの区分Ｓ−１、Ｓ−２、Ｓ−３及びＳ−４が夫々画定されることになる。各区分は、折り曲げられる方向を基準にして表面及び中面を夫々有する。保険パンフレットの場合、その各頁を形成することになる、これらの区分の中面及び表面には、保障の広告、保障の概要、保障内容、保障条件及び各種データ等が印刷されている。
【００２２】
また、区分Ｓ−１及びＳ−２は、横幅が同じサイズであるが、区分Ｓ−３及び区分Ｓ−４は、区分Ｓ−１及びＳ−２よりも横幅がｄだけサイズが大きくなるように、用紙全体の横幅及び折り線の位置が予め定められている。図２で、点線により囲まれた、折り線Ｏ−３を中心とした幅２ｄの領域が、その拡大された分の横幅を示しており、これが断裁予定領域となる。
【００２３】
上記のような用紙１６に対し、第１回折り畳み工程（ii）において、先ず、区分Ｓ−１及びＳ−４を、夫々折り線Ｏ−１及びＯ−３を中心として、内側に折り曲げ、区分Ｓ−１及びＳ−２の中面同士、並びに、区分Ｓ−３及びＳ−４の中面同士を夫々対面接触した状態にする。この折り曲げにより、区分Ｓ−４及びＳ−３の間には、山折り部３０が形成される。この山折り部３０は、区分Ｓ−１及びＳ−２の間に形成された山折り部よりも、折り線Ｏ−２からの間隔がｄだけ長い。
【００２４】
次に、第２回目の折り畳み工程（iii）において、折り線Ｏ−２を中心として、区分Ｓ−１の表面と区分Ｓ−４の表面とが対面接触するように折り畳む。ここで、第２回目の折り畳み工程（iii）を完了した折り畳み用紙２０の斜視図を図３に示す。図３（ａ）に示すように、折り畳み用紙２０を表側から見たとき、区分Ｓ−２の表面が、折り畳み用紙２０の最表面領域（表表紙）３３を画定しており、該最表面領域３３から山折り部３０が横幅ｄだけ突出していることがわかる。また、図３（ｂ）に示すように、折り畳み用紙２０を裏側から見たとき、区分Ｓ−３の表面が、折り畳み用紙２０の最表面領域（裏表紙）３４を画定しており、該最表面領域３４から連続的に山折り部３０が横幅ｄだけ突出していることがわかる。
【００２５】
次に、図２に戻り、断裁工程（iv）において、突出している山折り部３０を断裁線３３に沿って断裁し、山折り部３０の頂部を形成していた断裁予定領域の部分３２を切り離す。かくして保険パンフレット２５が作成完了となる。
【００２６】
作成した保険パンフレット２５を受け取ったユーザ等がこれを展開すると（工程ｖ）、Ａ４３つ折り部２７と、これから切り離された分離用紙３１と、を参照することができる。
３つ折り部２７は、区分Ｓ−１、Ｓ−２及びＳ−３に対応し、分離用紙３１は、区分Ｓ−４に対応している。３つ折り部２７には、例えば保険内容についての一般的な説明を印刷し、分離用紙３１には、比較的個別的な情報やタイムリーな情報を印刷することにより、顧客や状況等に応じてきめ細かく情報を提供することができる。
【００２７】
以上のように、本発明の実施例によれば、３つ折り部分２７に分離用紙３１が差し挟まれた保険パンフレット２５を、時間及びコストを費やす手差し作業を一切要することなく、２回の折り畳み工程と、１回の断裁工程で自動的に得ることができる。印刷システム１は、従来からの印刷装置１０及び折り装置１２に、断裁装置１４（又は断裁作業）を追加するのみとなり、大掛かりで複雑な工程を要する丁合装置等の機械を追加する必要はない。しかも、断裁装置１４では、積み上げられた複数の折り畳み用紙のスタック２２を一度に断裁するので、断裁工程をきわめて簡単に短時間のうちに完了することができる。
【００２８】
なお、断裁工程（iv）では、山折り部の突出部分を実質的に全て断裁してもよいが、その一部分を残すこともできる。例えば、図４（ａ）に示すように、最表面領域３３から突出したタブ領域３８を残すように、最表面領域３３のエッジから間隔を隔てられた断裁線３６に沿って山折り部３０を断裁してもよい。このタブ領域３８は、分離用紙３１の一部分となる。即ち、タブ領域３８を引っ張ることにより、パンフレットを展開せずに、分離用紙３１を引き出すことができる。
【００２９】
更に、図４（ｂ）に示すように、タブ領域３８となる部分に、分離用紙３１に印刷されている情報に関する見出し情報４０を予め印刷しておくのが好ましい。これにより、ユーザは、保険パンフレット２５が折り畳まれている状態で、分離用紙３１に何が印刷されているかを知ることができる。
【００３０】
また、本発明では、直線に沿って山折り部３０を断裁する例に限定されず、図４（ｃ）に示すように、見出し情報４４が印刷された部分のみ突出したタブ４２が形成されるように、階段状の断裁線４３に沿って山折り部３０を断裁してもよい。このようにタブ領域の形状は任意好適に変更可能である。
【００３１】
なお、第１の実施例は、区分Ｓ−１を省略し、少なくとも３つの区分を形成するように折り畳み、２つ折り用紙の中に分離用紙３１が差し挟まれた状態を作成することにも適用できる。
（第２の実施例）
図５に示す第２の実施例では、例えばＡ４サイズの３つ折り用紙に、同サイズの分離用紙が２枚差し挟まれたパンフレットを作成する。略Ａ４サイズが横幅方向に５枚連続的に並んだサイズの一枚の用紙１６が折り畳み前に選択される（工程（i））。この用紙１６は、折り線Ｏ−１乃至Ｏ−４により区分Ｓ−１乃至Ｓ−５が画定される。区分Ｓ−１及びＳ−２は、作成完了後の１頁分の横幅（例えばＡ４）を持っているが、区分Ｓ−３及びＳ−５の横幅は、それよりも幅ｄだけ大きくなるように、更に区分Ｓ−４の横幅は、幅２ｄだけ大きくなるように、定められている。図５において、点線により囲まれた、折り線Ｏ−３及びＯ−４を中心とした幅２ｄの２つの領域が、拡大された分の横幅を示しており、これらが断裁予定領域となる。
【００３２】
上記のような用紙１６に対し、第１回折り畳み工程（ii）において、先ず、区分Ｓ−１及びＳ−５を、夫々折り線Ｏ−１及びＯ−４を中心として、内側に折り曲げ、区分Ｓ−１及びＳ−２の中面同士、並びに、区分Ｓ−４及びＳ−５の中面同士を夫々対面接触した状態にする。
【００３３】
次に、第２回目の折り畳み工程（iii）において、折り線Ｏ−３を中心として、区分Ｓ−５の表面と区分Ｓ−３の中面とが対面接触するように折り畳む。この折り畳みは、区分Ｓ−５の周りに他の区分を順次巻き付けていくので、「巻き折り」とも称される。このとき、Ｓ−４の山折り部の先端にある断裁予定領域６４は、折り線Ｏ−２を幅ｄだけ越えて区分Ｓ−１の表面を覆うことになる。そこで、第１回の断裁工程（iｖ）において、この断裁予定領域６４を断裁線６５に沿って断裁する。
【００３４】
次に第３回目の折り畳み工程（ｖ）では、折り線Ｏ−２を中心として区分Ｓ−１の表面と区分Ｓ−４の表面とが対面接触するように折り畳む。その結果、Ｓ−２の表面よりもＳ−４の山折り部７０が幅ｄ分だけ突出した状態となる。この突出した部分が断裁予定部である。次に第２回目の断裁工程（vi）において、山折り部７０を断裁線７２に沿って断裁し、山折り部７０の頂部を形成していた断裁予定領域７４を切り離す。この断裁工程で保険パンフレット２５が作成完了となる。作成した保険パンフレット２５を受け取ったユーザ等がこれを展開すると（工程ｖii）、Ａ４３つ折り部７６と、これから切り離された２枚の分離用紙７７及び７８と、を参照することができる。
【００３５】
なお、第２の実施例では、断裁手順を経た折り畳み用紙を再び折り畳み工程に戻すサイクルを繰り返すため、図１に示すように、折り畳み装置１２と、断裁装置１４とを双方向に連係させる搬送機構２８を設ける。
【００３６】
第２の実施例では、区分Ｓ−５を１回巻き折り（即ち、区分Ｓ−５を区分Ｓ−３及びＳ−４で挟み込むように折り曲げる）、次に、山折り部６４を１回、裁断した。しかし、区分Ｓ−４の数を２つ以上に増加させることにより、山折り部６４を裁断した後、更に１回以上の巻き折りとこれに連係した１回以上の断裁を実行するように、第２の実施例を拡張することができる。
（第３の実施例）
上記各実施例では、各分離用紙は、１枚単独であったが、２つ折りの分離用紙が差し挟まれた状態を作ることも可能である。これを第３の実施例として図６に示す。第３の実施例では、例えばＡ４サイズの３つ折り用紙に同サイズの２つ折り分離用紙が２枚差し挟まれたパンフレットを作成する。このため、略Ａ４サイズが横幅方向に７枚連続的に並んだサイズの一枚の用紙１６が折り畳み前に選択される。その折り畳み方法としては、図６（ａ）に示すように、折り畳み用紙８０の一方の端部から折り込まれた複数の（この例では４つの）区分８２が、図５に示す「巻き折り」ではなく、所謂「経本折り」されたことを特徴とする。複数の区分８２が形成する山折り部８４及び山折り部８６は、折り畳み用紙８０の最表面領域から突出するように、各区分のサイズが定められている。
【００３７】
次に、図６（ｂ）に示すように、断裁線９０に沿って、山折り部８４及び８６の突出した部分が、断裁される。かくして、図６（ｃ）に示すように、３つ折り部８８に、２枚の２つ折り分離用紙８９及び９０が差し挟まれたパンフレットが作成される。
【００３８】
なお、第３の実施例のパンフレット作成方法を応用すれば、３つ折り以上の分離用紙が差し挟まれたパンフレットを作成することも可能となる。例えば、図６（ａ）において、山折り部８４を突出させず、山折り部８６のみを断裁させるようにすれば、４つ折りの分離用紙が１枚差し挟まれたパンフレットを作成することができる。逆に、複数の区分８２の最も内側の山折り部を断裁すれば、１枚単独の分離用紙を形成したり、２つ折り及び１枚単独の用紙を混在することもできる。
【００３９】
また、第３の実施例では、折り畳み用紙８０の一方の端部側から折り込まれた区分のみから分離用紙を形成するようにしたが、それと同時に、他方の端部側の山折り部も断裁したり、他方の端部側からも、複数の区分８２のような「経本折り」された複数の区分を折り込んでそれらの幾つかの山折り部を断裁するようにしてもよい。
（第４の実施例）
上記各実施例では、１つの区分が矩形状をなしていたが、本発明では、これに限定されるものではなく、例えば正方形、円形、楕円形、ひし形、台形、多角形等、任意の形状を用いることができる。ここでは、区分の形状として楕円形を用いた実施例を図７を用いて説明する。
【００４０】
図７に示すように、折り畳み前において、用紙９５は、３つの楕円形区分Ｓ−１、Ｓ−２及びＳ−３から形成されている。区分Ｓ−１及びＳ−２は、直接連結されているが、区分Ｓ−２及びＳ−３は、断裁予定領域９２を介して連結されている。この断裁予定領域９２の中心に折り線Ｏ−２が形成されることになる。
【００４１】
次に、第１回目の折り畳み工程（ii）において、区分Ｓ−３が、該区分Ｓ−３の中面と区分Ｓ−２の中面とが対面接触するように折り線Ｏ−２から折り曲げられる。このとき、断裁予定領域９２は、山折り部９３を形成する。次に、第２回目の折り畳み工程（iii）において、区分Ｓ−１が、該区分Ｓ−１の中面と区分Ｓ−３の表面とが対面接触するように折り線Ｏ−１から折り曲げられる。このとき、山折り部９３は、区分Ｓ−１の最表面領域から突出している。
【００４２】
次に、断裁工程（iv）において、山折り部９３を断裁線９４に沿って断裁し、かくして、パンフレット９５が作成完了となる。作成したパンフレット９５を受け取ったユーザ等がこれを展開すると（工程ｖ）、２つ折り部９６と、これから切り離された１枚の分離用紙９７と、を参照することができる。
【００４３】
以上が、本発明の各実施例であるが、本発明は、上記例に限定されるものではなく、本発明の範囲内において任意に変更可能である。
例えば、上記説明では、本発明の用途として、保険パンフレットの作成方法を例にしたが、分離用紙が差し挟まれたパンフレット等の印刷用紙に限らず、本発明を、分離したシートが差し挟まれた折り畳みシートを作成する方法にも一般に適用することができることが理解されるべきである。この場合のシートの材料としては、紙に限らず、金属、プラスチック、布、フィルム、又は、他の可撓性物質等を用いることができる。更に、１枚のシートであるとき、上記例では、前工程として印刷装置による印刷処理を施したが、例えば、エッチング等の化学的処理、スパッターリング等の物理的処理、或いは、電気的処理を始めとする様々な他の処理を施すことができる。また、金属等の剛性材料から作られた折り畳みシートの場合、作成後に、必ずしも、容易に展開可能ではない場合も含み得る。
【００４４】
更に、本発明でいう「シート」の概念は、単に２次元的に延在する対象に限定するものではない。有意に面積を有し、本発明の作用効果を奏することが可能な対象である限り、例えば針金状の１次元的な物体や、３次元的な広がりを持つ対象にも本発明を適用可能であると考えられる。
【００４５】
また、上記例では、複数の区分が一列に形成される例を示したが、２次元的に（即ち一部又は全てが複数列に）形成するようにしてもよい。例えば、図８（ａ）に示すように、Ｓ−１乃至Ｓ−３の列が長辺で境を接し、区分Ｓ−４のみＳ−３と短辺で接するように形成することもできる。この場合、９８が断裁予定領域となる山折り部である。勿論、図８（ｂ）に示すように、分離されない他の区分Ｓ−１乃至Ｓ−３の少なくともいずれかをＳ−４のように短辺で接するように形成することもできる。
【００４６】
また、上記各実施例における区分の数及びサイズは、本発明の作用効果を奏する範囲において、任意に変更可能である。また、本発明は、各区分のサイズ及び形状が夫々異なる例も含み得る。
【００４７】
更に、各実施例の特徴（例えば、第１の実施例の見出し情報、第３の実施例の内側に折り込む区分の経本折り、図８の折り方）を、他の実施例に実施可能な範囲で適用することができる。
【００４８】
更には、断裁装置１４は、後工程で断裁可能とする処理、例えば、ミシン目を形成する処理を実行する装置として構成することもできる。
【図面の簡単な説明】
【００４９】
【図１】図１は、本発明に係る、印刷システムの概略ブロック図である。
【図２】図２は、図１の印刷システムで実行される、分離用紙が差し挟まれた状態のパンフレットを作成する方法の第１の実施例を説明するための図である。
【図３】図３は、折り畳みが完了し、断裁が実行される前のパンフレットの斜視図であって、（ａ）は、表側から眺めた図、（ｂ）は、裏側から眺めた図である。
【図４】図４は、断裁方法の別の実施例を示す図であって、（ａ）は、断裁線を示すための図、（ｂ）は、図４（ａ）の断裁線で断裁された残りの突出部分に印刷された情報を示す図、（ｃ）は、更に別の断裁方法を示す図である。
【図５】図５は、図１の印刷システムで実行される、分離用紙が差し挟まれた状態のパンフレットを作成する方法の第２の実施例を説明するための図である。
【図６】図６は、図１の印刷システムで実行される、分離用紙が差し挟まれた状態のパンフレットを作成する方法の第３の実施例を説明するための図である。
【図７】図７は、別の形態の用紙を用いた、第４の実施例に係る、パンフレットの作成方法を説明するための図である。
【図８】図８は、折り方の別の実施例を示す概略図である。
【図９】図９は、分離用紙が差し挟まれた状態のパンフレットを作成する方法の従来技術を説明するための図である。
【図１０】従来の分離用紙が差し挟まれた状態のパンフレットを作成する方法を説明するための図である。
【符号の説明】
【００５０】
１    印刷システム
１０  印刷装置
１２  折り装置
１４  断裁装置
１６  印刷用紙
２０  折り畳まれた用紙
【図１】
2005297219.tif 000003
【図２】
2005297219.tif 000004
【図３】
2005297219.tif 000005
【図４】
2005297219.tif 000006
【図５】
2005297219.tif 000007
【図６】
2005297219.tif 000008
【図７】
2005297219.tif 000009
【図８】
2005297219.tif 000010
【図９】
2005297219.tif 000011
【図１０】
2005297219.tif 000012